(57)【要約】【課題】本発明は、防虫剤を含有させて、白蟻、ダニ、ゴキブリ等の害虫を効果的に忌避し、床下空間部内や木製土台に害虫が進入するのを効果的に防止することができる防鼠材を提供する。【解決手段】本発明の防鼠材は、木造建築物におけるコンクリート基礎１と、このコンクリート基礎１上にスペーサ部材２を介在させて配置された木製土台３との間に形成された空間部４を閉止する防鼠材８において、この防鼠材８に防虫剤を含有させているので、上記コンクリート基礎１と上記木製土台３との間に形成された空間部４に防鼠材８を配設することにより、防鼠材８に含有させた防虫剤の防虫成分によってコンクリート基礎１で囲まれた床下空間部内や木製土台３に害虫が進入するのを効果的に防止することができる。【選択図】    図３
2004162254.tif 000002
【特許請求の範囲】
【請求項１】
木造建築物におけるコンクリート基礎と、このコンクリート基礎上にスペーサ部材を介在させて配置された木製土台との間に形成された空間部を閉止する防鼠材において、この防鼠材に防虫剤を含有させていることを特徴とする防鼠材。
【発明の詳細な説明】
【０００１】
【発明の属する技術分野】
本発明は、防虫剤を含有させて、白蟻、ダニ、ゴキブリ等の害虫を効果的に忌避することができる防鼠材に関する。
【０００２】
【従来の技術】
従来から、木造建築物では、コンクリート基礎上に木製土台を載置し、この木製土台上に柱が立設される。近年、コンクリート基礎及び床板によって囲まれた床下空間部は、高温多湿になることから、特許文献１に示したように、コンクリート基礎と木製土台との間にスペーサ部材を介在させて、コンクリート基礎と木製土台との間に形成された空間部に所定間隔毎に通気用隙間を形成し、この通気用隙間を通じて床下空間部の通気を行っている。
【０００３】
そして、コンクリート基礎と木製土台との間に形成される通気用隙間は、比較的大きなものであることから、この通気用隙間を通じて、鼠等の小動物が床下空間部内に進入しないように、コンクリート基礎と木製土台との間に形成された空間部を外側から通気性を有する防鼠材によって閉止していた。
【０００４】
しかしながら、上記防鼠材は、通気性を確保するために内外方向に貫通する通気窓が多数形成されており、この通気窓を通じて、白蟻、ダニ、ゴキブリ等の小さな害虫が床下内に進入したり、或いは、これら害虫が地上からコンクリート基礎及び防鼠材を伝って木製土台に進入してしまい、特に、白蟻である場合には木造建築物に致命的な損害を与えることがあるといった問題点があった。
【０００５】
【特許文献１】
特開２０００−１４４９３９号公報（特許請求の範囲、図４）
【０００６】
【発明が解決しようとする課題】
本発明は、防虫剤を含有させて、白蟻、ダニ、ゴキブリ等の害虫を効果的に忌避し、床下空間部内や木製土台に害虫が進入するのを効果的に防止することができる防鼠材を提供する。
【０００７】
【課題を解決する手段】
請求項１に記載の防鼠材は、木造建築物におけるコンクリート基礎と、このコンクリート基礎上にスペーサ部材を介在させて配置された木製土台との間に形成された空間部を閉止する防鼠材において、この防鼠材に防虫剤を含有させていることを特徴とする。
【０００８】
【作用】
本発明の防鼠材は防虫剤を含有していることから、コンクリート基礎と木製土台との間に形成された空間部を本発明の防鼠材により閉止することによって、白蟻、ダニ、ゴキブリ等の害虫が空間部に近づくのを効果的に防止して、害虫が床下空間部内に進入したり或いは防鼠材を伝って木製土台に進入するのを阻止することができる。
【０００９】
【発明の実施の形態】
本発明の防鼠材の一例を図面を参照しつつ説明する。図１及び図２において、１は、地面に立設されたコンクリート基礎であり、このコンクリート基礎１上には、このコンクリート基礎１に沿って一定厚みを有する平面矩形状のスペーサ部材２が複数個、所定間隔毎に配設され、このスペーサ部材２上に木製土台３が配設されており、上記コンクリート基礎１と木製土台３との間には空間部４が形成されていると共に、スペーサ部材２、２の対向端部間には通気用隙間４１が形成されている。なお、５は横架材、６は外壁部材、７は水切りである。
【００１０】
そして、上記空間部４の外側開口部は、この空間部４の通気性を確保しつつ、鼠等の小動物がコンクリート基礎１及び床板１２で囲まれた床下空間部内に進入するのを防止するために防鼠材８が配設、閉止されている。
【００１１】
上記防鼠材８は、図３及び図４に示したように、所定長さを有する帯状体に形成され、具体的には、上記空間部４の上下高さよりも高い高さを有する垂直部８１と、この垂直部８１の下端から水平方向に外方に向かって延設された一定幅を有する突片部８２とからなる。
【００１２】
そして、防鼠材８には防虫剤が含有されており、防虫成分が徐々に外部に放散されるように構成されており、この防虫剤の防虫成分によって、白蟻、ダニ、ゴキブリ等の害虫が忌避され、空間部４に害虫が近づかないように構成されている。
【００１３】
上記防虫剤としては、目的とする害虫が忌避できるものであれば、特に限定されず、例えば、ピレスロイド系防虫剤が挙げられる。上記防鼠材８に防虫剤を含有させる方法としては、防鼠材８中に防虫剤を練り込む方法、即ち、防鼠材８が合成樹脂から形成されている場合には、押出機に合成樹脂と防虫剤とを供給して溶融、混練し、雌雄金型間に形成されたキャビティ内に防虫剤を分散させた合成樹脂を射出し防鼠材を成形する方法の他に、所定形状に成形された防鼠材８の表面に防虫剤を塗布する方法等が挙げられるが、長期間に亘って一定の防虫効果を持続的に発揮し得ることから、防鼠材８中に防虫剤を練り込む方法が好ましい。
【００１４】
そして、上記垂直部８１には、その下半部全面に、内外方向に貫通した多数の正面横長長方形状の通気用窓８１ａ  、８１ａ  ・・・が形成されていると共に、その上端部に上端縁に沿って所定間隔毎に防鼠材８を木製土台３に固着する釘を打ち込むための多数の釘孔８１ｂ  、８１ｂ  ・・・が内外方向に貫通した状態に形成されている。なお、上記垂直部８１外面における両端部を除いた通気用窓８１ａ  、８１ａ  の上方近傍部には、防鼠材８の長さ方向に沿って一定幅を有するリブ８０が突設されている。
【００１５】
又、上記防鼠材８の垂直部８１の両端部外面における上下方向の中央部のそれぞれに、即ち、防鼠材８における長さ方向の両端の各釘孔８１Ｂ  から斜め下方に下がった部分のそれぞれには、防鼠材８、８同士を長さ方向に突き合わせ状に連結するための連結用突部８１ｃ  、８１ｃ  が二つ、水平方向に所定間隔を存して外方に向かって突設されている。
【００１６】
次に、上記防鼠剤８の使用要領について説明する。先ず、コンクリート基礎１の上端面に該コンクリート基礎１に沿って複数個の一定厚みを有する平面矩形状のスペーサ部材２、２・・・を所定間隔毎に配設した上で、これらのスペーサ部材２上にこれらのスペーサ部材２を跨がせた状態に木製土台３を配設する。
【００１７】
なお、スペーサ部材２の中央部に上下方向に貫設された貫通孔２１及び木製土台３に上下方向に貫設された貫通孔３１内に、コンクリート基礎１の上端面から上方に向かって突出したアンカーボルト１１の上半部を挿通させ、木製土台３の貫通孔３１の上端開口部から上方に突出したアンカーボルト１１の上端部にナット１１ａ  を螺締し、コンクリート基礎１上にスペーサ部材２を介して木製土台３を安定的に配設、固定する。
【００１８】
そして、上記コンクリート基礎１と木製土台３との対向面間にはスペーサ部材２の厚みに合致した上下高さを有する空間部４が形成されており、この空間部４の外側開口部の全てを上記防鼠材８によって通気性を確保しつつ全面的に隙間なく閉止する。なお、防鼠材８の上部には外壁部材６、外方には水切り７が配設固定される。
【００１９】
具体的には、複数個の防鼠材８をその突片部８２の下面がコンクリート基礎１の上端面外側縁部上に当接した状態に載置すると共に、互いに隣接する防鼠材８、８の対向端面同士を突き合わせた状態とする。
【００２０】
そして、互いに隣接する防鼠材８、８同士は連結部材９を用いて連結される。この連結部材９は、図５に示したように、隣接する防鼠材８、８の対向端部に形成された四個の連結用突部８１ｃ  、８１ｃ  ・・・の全てを被覆し得る左右幅を有し且つ上下幅が上記防鼠材８の上下高さよりも若干短い正面横長長方形状の一定厚みの板状体９１から形成され、この板状体９１の左右方向の両端部の夫々には上記防鼠材８の連結用突部８１ｃ、８１ｃが嵌合可能な連結孔９１ａ  、９１ａ  が内外面間に亘って貫通状態に形成されていると共に、下半部には複数個の通気用窓９１ｂ  が内外面間に亘って貫通状態に形成されている。なお、上記連結部材９には、この連結孔９１ａ  、９１ａ  ・・・に防鼠材８の連結用突部８１ｃ  、８１ｃ  ・・・を嵌合させた状態における上記防鼠材８の釘孔８１Ｂ  、８１Ｂ  に対応する部分にも両面間に亘って貫通する釘孔９１ｃ  、９１ｃ  を形成している。
【００２１】
しかるに、図６に示したように、互いに隣接する防鼠材８、８同士をそれらの対向端面同士を突き合わせ、防鼠材８、８の対向両端部間に上記連結部材９を跨がらせた状態に配設すると共に、連結部材９の各連結孔９１ａ  、９１ａ  ・・・に防鼠材８の各連結用突部８１ｃ  、８１ｃ  ・・・を嵌合一体化させることによって、防鼠材８、８を連結部材９により長さ方向に突き合わせ状に連結一体化する。なお、防鼠材８、８の通気用窓８１ａ  と連結部材９の通気用窓９１ｂ  とが重なり合うことによって、防鼠材８の端部と連結部材９との重ね合わせ部分は、その通気性が確保されている。
【００２２】
次に、上記の如くして長さ方向に順次、突き合わせ状に連結一体化された防鼠材８の垂直部８１の各釘孔８１ｂ  内に釘１０を打ち込んで防鼠材８を木製土台３に固着することによって、空間部４の外側開口部を複数個の防鼠材８によって全面的に隙間なく閉止する。
【００２３】
しかるに、上記防鼠材８には防虫剤が含有され、この防虫剤の防虫成分が防鼠材８から放散されており、白蟻、ダニ、ゴキブリ等の害虫を忌避することができ、コンクリート基礎１及び床板１２で囲まれた床下空間部内に害虫が進入したり、或いは、害虫が防鼠材８を伝って木製土台３に進入することも防止することができる。
【００２４】
そして、上記防鼠材８には、従来の防鼠材と同様に、通気用窓８１ａ  が形成され、この通気用窓８１ａ  を通じて外部と床下空間部とを円滑に通気させており、この通気による空気の対流によって防鼠材８に含有させた防虫剤の防虫成分を空間部４内に拡散させて、床下空間部や木製土台３に害虫が進入するのを効果的に防止することができる。
【００２５】
次に、上記木製土台３上に横架材５を載置した上で床板１２を配設すると共に、上記防鼠材８の上方部に外壁部材６をその下端部が防鼠材８の垂直部８１の上半部に重ね合わせられた状態に配設し、更に、上記防鼠材８の外方部に水切り７を配設する。
【００２６】
【発明の効果】
請求項１に記載の防鼠材は、木造建築物におけるコンクリート基礎と、このコンクリート基礎上にスペーサ部材を介在させて配置された木製土台との間に形成された空間部を閉止する防鼠材において、この防鼠材に防虫剤を含有させていることを特徴とするので、従来の防鼠材と同様の要領で、上記コンクリート基礎と上記木製土台との間に形成された空間部に防鼠材を配設することにより、防鼠材に含有させた防虫剤の防虫成分によってコンクリート基礎及び床板で囲まれた床下空間部内や木製土台に害虫が進入するのを効果的に防止することができる。
【図面の簡単な説明】
【図１】本発明の防鼠材を用いた木造建築物の一部を示した斜視図である。
【図２】図１の木造建築物を示した断面図である。
【図３】本発明の防鼠材を示した斜視図である。
【図４】図３の防鼠材を示した断面図である。
【図５】防鼠材を連結させる要領を示した斜視図である。
【図６】隣接する防鼠材同士を連結一体化させた状態を示した斜視図である。
【符号の説明】
１  コンクリート基礎
２  スペーサ部材
３  木製土台
４  空間部
５  横架材
６  外壁部材
７  水切り
８  防鼠材
８１  垂直部
８１ａ  通気用窓
８１ｂ  、８１Ｂ  釘孔
８１ｃ  連結用突部
８２  突片部
９  連結部材
【図１】
2004162254.tif 000003
【図２】
2004162254.tif 000004
【図３】
2004162254.tif 000005
【図４】
2004162254.tif 000006
【図５】
2004162254.tif 000007
【図６】
2004162254.tif 000008